(57)【特許請求の範囲】
【請求項１】
本体と、
該本体に形成され、食品を冷蔵する冷蔵室と、
前記本体後部側に形成された冷却室内に配置され、該冷却室を流通する空気を冷却して冷気を生成する冷却器と、
前記冷蔵室奥側から前記冷蔵室内へ冷気を送り込むためのダクト部と、
該ダクト部に冷気を送り込む送風ファンと、
前記冷却室から前記ダクト部へ流れる冷気量を調整する冷蔵室用ダンパー装置と、
外気温度を検知する外気温度検知手段と、
前記冷蔵室の庫内温度を検知する冷蔵室温度検知手段と、
前記送風ファンの動作及び前記冷蔵室用ダンパー装置の開度制御を実施する制御装置と、
を備え、
該制御装置は、
前記外気温度検知手段によって検知された外気温度である外気実測温度に基づいて、前記冷蔵室用ダンパー装置の開度について特定開度を設定し、
前記送風ファンを駆動させた状態において、前記冷蔵室温度検知手段によって検知された前記冷蔵室の庫内温度である冷蔵室実測温度と、所定の第１冷蔵室設定温度とを比較し、その比較の結果、前記冷蔵室実測温度が前記第１冷蔵室設定温度よりも高い場合、前記冷蔵室用ダンパー装置の開度を全開状態にし、
前記送風ファンを駆動させた状態において、前記冷蔵室実測温度と、前記第１冷蔵室設定温度よりも小さい所定の第２冷蔵室設定温度とを比較し、その比較の結果、前記冷蔵室実測温度が前記第２冷蔵室設定温度より低い場合、前記冷蔵室用ダンパー装置の開度を前記特定開度の状態にする
ことを特徴とする冷凍冷蔵庫。
【請求項２】
前記制御装置は、前記外気実測温度が高いほど、前記特定開度を大きく設定する
ことを特徴とする請求項１記載の冷凍冷蔵庫。
【発明の詳細な説明】
【技術分野】
【０００１】
本発明は、冷蔵室を設けた冷凍冷蔵庫に関する。
【背景技術】
【０００２】
従来の冷凍冷蔵庫として、冷蔵室内下部の急冷室用の温度検出装置、並びに、ダンパー装置及び急冷室用ファンが取り付けられており、この部屋に入れた食品を急冷する制御装置に関し、急冷動作を実施する際に過度に食品を冷やし過ぎないようにファジィー論理演算を行ってダンパー装置のバッフル開度を調整するものがある（例えば、特許文献１参照）。
【０００３】
また、冷凍室用及び冷蔵室用のファンを具備し、冷蔵室に設置したダンパー装置の開閉によって冷蔵室の温度をコントロールし、冷凍室温度が所定値以上となる状態が一定時間続く場合に、そのダンパー装置のバッフル開度を小さくし、冷蔵室用ファンの回転数を下げるように制御するものがある（例えば、特許文献２参照）。
【０００４】
さらに、冷蔵室用ダンパー装置の制御方法に関し、冷凍室温度及び冷蔵室温度が設定値よりも高い場合には、ファジィー論理演算によってバッフルの開度を調節して冷蔵室の冷却動作を実施し、冷蔵室温度が設定値以下となった場合にはバッフルを閉じるものがある（例えば、特許文献３参照）。
【０００５】
通常、冷蔵室用のダンパー装置は冷蔵室の温度制御を第一の目的とするものであり、検出した冷蔵室温度を演算し、冷蔵室内が所定温度（例えば、平均で約３℃）になるようバッフルの開閉制御を実施する。ここで、冷蔵室扉等に設置される温度操作パネル等によって冷蔵室内の温度を使用者の好みで設定可能なものも当然存在する。その際、冷蔵室内の水物等が氷結しないように、冷蔵室の温度が大きく上下降しないように冷蔵室用ダンパー装置のバッフルの開点温度と閉点温度との差をなるべく小さく設定し、冷却時に冷蔵室内の温度が氷点下にならないようにすることが望ましい。また、食品に与える品質的な影響、例えば、生鮮食品等の鮮度の保持等に関して、冷蔵室内の温度変動が小さい方がその影響も小さい。
【０００６】
また、近年の冷蔵庫に求められる機能として省エネ性が挙げられ、風路構造又は冷気量分配制御等を最適化していくことが必須となっており、ダンパー装置のバッフル制御に関する文献は従来から多く報告されている。
【先行技術文献】
【特許文献】
【０００７】
【特許文献１】特開平４−４３２７６号公報（第３頁、図１）
【特許文献２】特開平４−１８６０８１号公報（第３頁、図５）
【特許文献３】特開平１０−３８４３５号公報（第４−５頁、図６）
【発明の概要】
【発明が解決しようとする課題】
【０００８】
しかしながら、特許文献１おいては、冷蔵室内の一部である急冷室内に限定されるものであり、冷却時のバッフル開度を調節して、最終的に全閉とすることによって食品温度を目標温度となるようにするもので、冷蔵庫としての通常使用時の消費電力の低減が考慮されていないという問題点がある。
【０００９】
また、特許文献２においては、冷凍室の負荷が極端に増えて冷凍室温度が上がってしまった場合には冷蔵室のダンパー装置のバッフル開度を調整し冷凍室への風量を増加させるものであるが、その間は冷蔵室の温度は高くなってしまうという問題点がある。
【００１０】
そして、特許文献３においては、冷蔵室の冷却時の冷蔵室用ダンパー装置のバッフルの開度を調整するものであるが、冷蔵室温度が設定温度になるまでバッフルが半開となることがあるため、冷蔵室の温度が下がらないまま圧縮機が停止して冷蔵室の温度が平均的に高い場合がある。さらに、冷蔵室の温度を下げたい場合には結局バッフルが全開となり、全開全閉を繰り返すだけのサイクルとなってしまうと予測される。また、冷蔵室を循環して冷却器に戻ってくる冷気の温度は比較的高く冷却器の温度を高くしてしまうため、冷凍室に吹き出される冷気温度が若干高めとなり冷凍室の冷却を遅らせてしまい圧縮機の運転が長くなってしまい消費電力を浪費するという問題点がある。それを防止するためには、冷蔵室の冷却は短時間で行う方が効率的であり、冷蔵室を冷却すると判断した場合には冷蔵室用ダンパー装置のバッフルは全開であることが望ましい。以上のような冷蔵室用ダンパー装置のバッフル制御方法では、庫内温度の変動を小さくできるものではなく、また消費電力の低減を見込めない場合があるという問題点もある。
【００１１】
本発明は、上記の課題を解決するためになされたもので、冷蔵室の庫内温度の変動を小さくし、消費電力を抑制した冷凍冷蔵庫を得ることを目的とする。
【課題を解決するための手段】
【００１２】
本発明に係る冷凍冷蔵庫は、本体と、該本体に形成され、食品を冷蔵する冷蔵室と、前記本体後部側に形成された冷却室内に配置され、該冷却室を流通する空気を冷却して冷気を生成する冷却器と、前記冷蔵室奥側から前記冷蔵室内へ冷気を送り込むためのダクト部と、該ダクト部に冷気を送り込む送風ファンと、前記冷却室から前記ダクト部へ流れる冷気量を調整する冷蔵室用ダンパー装置と、外気温度を検知する外気温度検知手段と、前記冷蔵室の庫内温度を検知する冷蔵室温度検知手段と、前記送風ファンの動作及び前記冷蔵室用ダンパー装置の開度制御を実施する制御装置と、を備え、該制御装置は、前記外気温度検知手段によって検知された外気温度である外気実測温度に基づいて、前記冷蔵室用ダンパー装置の開度について特定開度を設定し、前記送風ファンを駆動させた状態において、前記冷蔵室温度検知手段によって検知された前記冷蔵室の庫内温度である冷蔵室実測温度と、所定の第１冷蔵室設定温度とを比較し、その比較の結果、前記冷蔵室実測温度が前記第１冷蔵室設定温度よりも高い場合、前記冷蔵室用ダンパー装置の開度を全開状態にし、前記送風ファンを駆動させた状態において、前記冷蔵室実測温度と、前記第１冷蔵室設定温度よりも小さい所定の第２冷蔵室設定温度とを比較し、その比較の結果、前記冷蔵室実測温度が前記第２冷蔵室設定温度より低い場合、前記冷蔵室用ダンパー装置の開度を前記特定開度の状態にするものである。
【発明の効果】
【００１３】
本発明によれば、冷蔵室の庫内温度について、第１冷蔵室設定温度と第２冷蔵室設定温度との温度差を小さく設定することができるので、冷蔵室実測温度を安定的に制御することができる。
【図面の簡単な説明】
【００１４】
【図１】本発明の実施の形態１に係る冷凍冷蔵庫の正面図である。
【図２】本発明の実施の形態１に係る冷凍冷蔵庫のＡ−Ａ断面図である。
【図３】本発明の実施の形態１に係る冷凍冷蔵庫の温度操作パネル８の分解斜視図である。
【図４】本発明の実施の形態１に係る冷凍冷蔵庫の冷蔵室用ダンパー装置２６の構造図である。
【図５】本発明の実施の形態１に係る冷凍冷蔵庫の冷蔵室１の温度制御動作を示すフローチャートである。
【図６】本発明の実施の形態１に係る冷凍冷蔵庫の冷蔵室１の温度制御動作において、冷蔵室用ダンパー装置２６のバッフル２９の開度を決定するための別のフローチャートである。
【図７】本発明の実施の形態１に係る冷凍冷蔵庫の冷蔵室用ダンパー装置２６のバッフル２９の開度を示す状態図である。
【図８】本発明の実施の形態１に係る冷凍冷蔵庫の圧縮機２５の動作、冷却器１８の温度変化、冷蔵室１及び冷凍室４の実測温度変化、並びに、バッフル２９の動作のタイムチャートである。
【図９】従来の冷凍冷蔵庫の圧縮機２５の動作、冷却器１８の温度変化、冷蔵室１及び冷凍室４の実測温度変化、並びに、バッフル２９の動作のタイムチャートである。
【発明を実施するための形態】
【００１５】
実施の形態１．
（冷凍冷蔵庫の構成）
図１は、本発明の実施の形態１に係る冷凍冷蔵庫の正面図であり、図２は、同冷凍冷蔵庫のＡ−Ａ断面図である。
【００１６】
図１及び図２で示されるように、本実施の形態に係る冷凍冷蔵庫は、冷蔵室１、製氷室２、切替室３、冷凍室４及び野菜室５の各貯蔵室を備えている。上記各貯蔵室は、断熱仕切り壁６によって仕切られている。また、各貯蔵室は、前面が開閉自在に取り付けられた扉を有している。具体的には、冷蔵室１については冷凍室扉１ａ、製氷室２については製氷室扉２ａ、切替室３については切替室扉３ａ、冷凍室４については冷凍室扉４ａ、そして、野菜室５については野菜室扉５ａが備えられ、各扉を開くことによって、内部に貯蔵物を載置して保存することが可能となっている。また、本実施の形態に係る冷凍冷蔵庫の上面、背面、側面及び下面は、内箱１７によって形成されている。
【００１７】
なお、各貯蔵室のレイアウトは、図１及び図２で示されるものに限定されるものではなく、例えば、図１及び図２で示されるように、冷蔵室１が最上段に位置しているが、冷凍室４が最上段に位置しているものとしてもよい。
【００１８】
冷蔵室１の背面側の内箱１７内には、制御装置１２が収納されており、この制御装置１２は、各貯蔵室に設置されたサーミスターによって検知される信号を温度換算し、この温度に基づいて各貯蔵室の温度制御を実施したり、後述する圧縮機２５の運転及び停止等の処理を実施する。また、冷蔵室１の内部は、樹脂製又はガラス製の棚１ｂ〜１ｄによって区画されている。なお、本実施の形態においては、冷蔵室１内部に設置される棚は３個としているが、これに限定されるものではない。このうち、最下段の棚１ｄの下には小物収納ケース１ｅが設置されており、この小物収納ケース１ｅ内は、上部の棚部分よりも１〜２［℃］低い温度となっている。これは、冷蔵室１内の冷気の戻り口（後述する戻り風路４２の入口）が小物収納ケース１ｅの下に形成されており、低温の冷気は、それよりも温度が高い冷気よりも浮力が小さいため下方に滞留しやすいからである。また、冷凍室扉１ａの内側には、複数のポケット１ｆ（図２においては３個）が設置されている。また、冷蔵室１の奥部の壁面は、コントロールパネル４７によって形成されている。このコントロールパネル４７は、意匠面側（庫内側）の樹脂部品４８、及び、奥側の発泡ダクト部品４９によって形成されている。この発泡ダクト部品４９と、冷凍冷蔵庫の背面を形成する内箱１７との間には、後述する冷却器１８によって生成される冷気が送られてくるダクト部５０が形成されている。そして、コントロールパネル４７の各棚には、ダクト部５０から冷気を取り込むための風路孔５６が形成されている。さらに、樹脂部品４８の中央近傍には、冷蔵室１の庫内温度を検知する冷蔵室サーミスター５１が設置されており、この冷蔵室サーミスター５１は、制御装置１２に対して、検知した温度情報を送信するため、制御装置１２に電気的に接続されている。
【００１９】
なお、冷蔵室サーミスター５１は、本発明の「冷蔵室温度検知手段」に相当する。
【００２０】
製氷室２は、冷蔵室１の下部、かつ、冷凍冷蔵庫の正面視において左側に形成された貯蔵室であり、その内部には自動製氷機（図示せず）が備えられており、その扉である製氷室扉２ａは引き出し式となっている。製氷室２内には、製氷室ケース２ｂが設置されており、この引き出し式の製氷室扉２ａを手前に引くことで製氷室ケース２ｂを引き出すことができる。
【００２１】
切替室３は、冷蔵室１の下部、かつ、冷凍冷蔵庫の正面視において右側に形成された貯蔵室であり、その扉である切替室扉３ａは引き出し式となっている。切替室３内には、切替室ケース３ｂが設置されており、この切替室扉３ａを手前に引くことで切替室ケース３ｂを引き出すことができる。また、切替室３内の奥部の壁面には、切替室３の庫内温度を検知する切替室サーミスター５２が設置されており、この切替室サーミスター５２は、制御装置１２に対して、検知した温度情報を送信するため、制御装置１２に電気的に接続されている。
【００２２】
冷凍室４内には、長期保存（例えば、一ヶ月程度）を目安とした下部大型貯蔵ケース４ｂ、及び、その下部大型貯蔵ケース４ｂのフランジ部分に載置された浅底の上部浅底ケース４ｃが設置されている。また、冷凍室４内の奥部の壁面には、冷凍室４の庫内温度を検知する冷凍室サーミスター５３が設置されており、この冷凍室サーミスター５３は、制御装置１２に対して、検知した温度情報を送信するため、制御装置１２に電気的に接続されている。
【００２３】
なお、冷凍室サーミスター５３は、本発明の「冷凍室温度検知手段」に相当する。
【００２４】
また、製氷室２、切替室３及び冷凍室４の奥部の壁面は、共通したファングリル１６によって形成されている。このファングリル１６と冷凍冷蔵庫の背面を形成する内箱１７との間には、冷却器１８が設置された空間（以下、冷却室という）が形成されている。この冷却室には、冷却器１８を除霜するための除霜ヒーター１９、及び、冷却器１８によって生成された冷気を各貯蔵室に送り込むための送風ファン２４が設置されている。また、冷却室の底には、除霜ヒーター１９によって溶解された冷却器１８のドレン水を、後述する機械室に設置された蒸発皿２１に送り込むために形成された冷却室から機械室へ挿通する排水管２０が形成されている。また、冷却室には、ダクト部５０に冷気を送り込むための開閉機構を有する冷蔵室用ダンパー装置２６が備えられており、後述のように、制御装置１２によってその開閉動作が制御される。さらに、ファングリル１６には、切替室３に冷気を送り込むための開閉機構を有し、冷蔵室用ダンパー装置２６と同構造を有する切替室用ダンパー装置２７が備えられており、制御装置１２によってその開閉動作が制御される。また、同様に、ファングリル１６には、冷凍室４に冷気を送り込むための開閉機構を有したダンパー装置（図示せず）が備えられており、制御装置１２によってその開閉動作が制御される。
【００２５】
また、本実施の形態の冷凍冷蔵庫の背面下部には、機械室が設けられており、この機械室には、前述のように、冷却器１８で発生したドレン水が排水管２０を経由して排出される蒸発皿２１、及び、冷却器１８内に冷媒を流通させる圧縮機２５が設置されている。
【００２６】
野菜室５は、本実施の形態に係る冷凍冷蔵庫において、最も最下段に配置された貯蔵室であり、冷蔵室１よりもわずかに高温であるが、基本的には冷蔵温度帯の貯蔵室である。この野菜室５内には、大きめの野菜等を収納する下部収納ケース５ｂ、及び、その下部収納ケース５ｂのフランジ部分に載置され、葉物野菜及び小物野菜等を保存するのに適した浅底の上部収納ケース５ｃが設置されている。また、野菜室５の冷却は、冷蔵室１からの戻り風路４２を利用して実施される。この戻り風路４２は、冷蔵室１の下部にその入り口が形成されており、切替室３及び冷凍室４の背面を下方に向けて延設され、野菜室５内の壁面の開口部（図示せず）へ接続されている。したがって、戻り風路４２に流入した冷蔵室１内の冷気は、戻り風路４２を通って、この開口部から野菜室５へ流れ込む。そして、この野菜室５へ流れ込んだ冷気は、冷却室へ連通する別の開口部（図示せず）から吸い込まれて、冷却室へ戻る。
【００２７】
図３は、本発明の実施の形態１に係る冷凍冷蔵庫の温度操作パネル８の分解斜視図である。
図３で示されるように、冷蔵室１の扉である冷凍室扉１ａには、各貯蔵室の庫内温度を調整操作が可能な温度操作パネル８が設置されている。その温度操作パネル８の内部に設置された基板９には、外気温度を検知する外気温度検知サーミスター１０が搭載されている。
なお、温度操作パネル８は、冷凍室扉１ａに備えられているものとしたが、これに限定されるものではなく、例えば、冷蔵室１内に備えられるものとしてもよい。
また、基板９上に外気温度検知サーミスター１０が搭載されるものとしたが、これに限定されるものではなく、例えば、冷凍室扉１ａの上側ヒンジ装置部１１に外気温度検知サーミスター１０が設置される構成としてもよい。
また、外気温度検知サーミスター１０は、本発明の「外気温度検知手段」に相当する。
【００２８】
温度操作パネル８による各貯蔵室の庫内温度の調整操作の例として、冷蔵室温度調整ボタン８ａによる冷蔵室１の庫内温度の調整操作、及び、切替室温度調整ボタン８ｂによる切替室３の庫内温度の調整操作について説明する。冷蔵室温度調整ボタン８ａ及び切替室温度調整ボタン８ｂは、いずれも温度操作パネル８の表面側に設置されている。ユーザーは、冷蔵室温度調整ボタン８ａを押下することによって、冷蔵室１の庫内温度について、「弱」（例えば、約６［℃］）、「中」（例えば、約３［℃］）又は「強」（例えば、約１［℃］）を切り替えて設定操作することができる。また、ユーザーは、同様に、切替室温度調整ボタン８ｂを押下することによって、切替室３の庫内温度について、２週間程度の冷凍保存に適した弱めの冷凍（例えば、約−７［℃］）、又は、一ヶ月程度の冷凍保存に適した強めの冷凍（例えば、約−１８［℃］）の２段階に切り替えて設定操作することができる。
【００２９】
（冷蔵室用ダンパー装置２６の構造）
図４は、本発明の実施の形態１に係る冷凍冷蔵庫の冷蔵室用ダンパー装置２６の構造図である。このうち、図４（ａ）は、冷蔵室用ダンパー装置２６の正面図、図４（ｂ）は、冷蔵室用ダンパー装置２６のＢ−Ｂ断面図、そして、図４（ｃ）は、冷蔵室用ダンパー装置２６の分解斜視図である。以下、図４を参照しながら、冷蔵室用ダンパー装置２６の構造について説明する。
【００３０】
図４（ａ）で示されるように、冷蔵室用ダンパー装置２６は、ギア収納ケース２８、バッフル２９、冷気漏れ防止シート３０及びフレーム３１によって構成されている。
【００３１】
ギア収納ケース２８は、ステッピングモーター３４、及び、そのステッピングモーター３４の出力をバッフル２９へ減速伝達するギア部品３５等を収納するものである。また、ギア収納ケース２８は、ネジ３６によってフレーム３１に固定されている。また、ギア収納ケース２８から外部に延びたリード線３２は、ステッピングモーター３４等に電源供給するためのものであり、制御装置１２に電気的に接続されている。また、ギア収納ケース２８内には、ステッピングモーター３４の回転駆動によりギア部品３５を介して回転する嵌合部があり、その嵌合部に接続軸３３が嵌合されている。この接続軸３３の他端は、バッフル２９に嵌合されている。
【００３２】
バッフル２９は、後述するフレーム３１の冷気通過部３８を開閉する板形状のものであり、嵌合された接続軸３３の軸の延長線上の端部に円ボス３７が形成されている。この円ボス３７は、フレーム３１に形成された凹部に嵌合される。つまり、バッフル２９は、接続軸３３及び円ボス３７の中心を軸として回動する。
【００３３】
フレーム３１は、冷気通過部３８が形成されており、この冷気通過部３８を介して、冷却器１８によって生成された冷気がダクト部５０側に送り込まれる。この冷気通過部３８は、前述のように、バッフル２９が回動することによって、開いたり閉じたりする。また、冷気通過部３８の周囲は外枠リブ３９によって囲われている。
【００３４】
冷気漏れ防止シート３０は、発泡ポリウレタン又は発泡ポリエチレン製のシートであり、バッフル２９に貼り付けられ、バッフル２９の開度が全閉状態の場合には、冷気通過部３８の外枠リブ３９に密着するようになっている。
【００３５】
以上のように、冷蔵室用ダンパー装置２６の構造について説明したが、前述のように、切替室用ダンパー装置２７も同構造である。しかし、冷気を送り込む貯蔵室の容量によって、冷気通過部３８の開口面積を設定することが望ましいため、ダンパー装置の大きさについては、冷蔵室１用の冷蔵室用ダンパー装置２６の方が切替室用ダンパー装置２７よりも大きなものとなっている。
【００３６】
（冷蔵室１の温度制御動作）
図５は、本発明の実施の形態１に係る冷凍冷蔵庫の冷蔵室１の温度制御動作を示すフローチャートであり、図６は、同冷凍冷蔵庫の冷蔵室１の温度制御動作において、冷蔵室用ダンパー装置２６のバッフル２９の開度を決定するための別のフローチャートであり、そして、図７は、同冷凍冷蔵庫の冷蔵室用ダンパー装置２６のバッフル２９の開度を示す状態図である。以下、図５及び図６を参照しながら、冷蔵室１の温度制御動作について説明する。
【００３７】
（Ｓ１）
制御装置１２は、冷凍室サーミスター５３によって検知された冷凍室４の庫内温度である実測温度Ｆｒが第１冷凍室設定温度Ｆｓより高いか否かを判定する。その判定の結果、実測温度Ｆｒが第１冷凍室設定温度Ｆｓより高い場合、ステップＳ２へ進む。一方、実測温度Ｆｒが第１冷凍室設定温度Ｆｓ以下の場合、ステップＳ２をスキップして、ステップＳ３へ進む。
【００３８】
（Ｓ２）
制御装置１２は、圧縮機２５及び送風ファン２４を駆動させる。これによって、冷却器１８は冷気を生成する。
【００３９】
（Ｓ３）
制御装置１２は、実測温度Ｆｒが第２冷凍室設定温度Ｆｅ（Ｆｅ＜Ｆｓ）より高いか否かを判定する。その判定の結果、実測温度Ｆｒが第２冷凍室設定温度Ｆｅより高い場合、ステップＳ６へ進む。一方、実測温度Ｆｒが第２冷凍室設定温度Ｆｅ以下の場合、ステップＳ４へ進む。
【００４０】
（Ｓ４）
制御装置１２は、冷凍室４の庫内温度が低温状態にあると判断し、冷却器１８からの冷気の発生を停止すべく圧縮機２５及び送風ファン２４の駆動を停止する。そして、ステップＳ５へ進む。
【００４１】
（Ｓ５）
制御装置１２は、冷蔵室１用の冷蔵室用ダンパー装置２６のバッフル２９を全閉状態にする。そして、ステップＳ１へ戻る。
【００４２】
したがって、第１冷凍室設定温度Ｆｓは冷凍室４の庫内温度が高く、冷却を必要としていることから冷却運転開始点、つまり、圧縮機２５等の運転開始点となる。また、第２冷凍室設定温度Ｆｅは冷凍室４の庫内温度が低く、冷却が不要ということから冷却運転終了点、つまり、圧縮機２５等の運転終了点ということになる。
【００４３】
（Ｓ６）
制御装置１２は、冷蔵室１の冷却動作が必要であると判断し、外気温度検知サーミスター１０によって検知された外気温度である外気実測温度Ｔｇが設定温度Ｔｓより低いか否かを判定する。その判定の結果、外気実測温度Ｔｇが設定温度Ｔｓよりも低い場合、ステップＳ７へ進む。一方、外気実測温度Ｔｇが設定温度Ｔｓ以上である場合、ステップＳ８へ進む。
【００４４】
（Ｓ７）
制御装置１２は、冷蔵室用ダンパー装置２６におけるバッフル２９の開度Ａを「１」に設定する。ここで、開度Ａとは、バッフル２９と冷気通過部３８の開口面との角度に基づく値を示すものとし、ここでは、例えば、開度Ａ＝１の場合、約７度であるものとする。そして、ステップＳ９へ進む。
【００４５】
（Ｓ８）
制御装置１２は、冷蔵室用ダンパー装置２６におけるバッフル２９の開度Ａを「２」に設定する。ここで、開度Ａ＝２の場合、例えば、約２１度であるものとする。そして、ステップＳ９へ進む。
【００４６】
上記のステップＳ７及びＳ８において、後述するステップＳ１３におけるバッフル２９の開度Ａを選択設定しているのは、例えば、外気温度が１０度以下となった場合には、熱漏洩量が小さくなる、つまり、外気と冷蔵室１内との温度差が小さくなるので熱が冷蔵室１から逃げにくくなるため、冷蔵室１の強い冷却が不要、又は、冷却自体が不要となることがあるからである。
【００４７】
なお、上記の開度Ａ＝１、２の場合、それぞれの角度を約７度、２１度としたが、これは例示であり、その他の値でもよいのは言うまでもない。
【００４８】
また、図５で示されるフローチャートにおいては、バッフル２９の開度Ａを２通りに選択する場合を示しているが、これに限定されるものではなく、図６で示されるように、開度Ａを多段階で設定できるようにしてもよい。図６で示されるように、制御装置１２は、外気実測温度Ｔｇと比較する温度として、設定温度Ｔｓ１〜Ｔｓ３（Ｔｓ１＜Ｔｓ２＜Ｔｓ３）を用い、開度Ａを設定する。具体的には、制御装置１２は、外気実測温度Ｔｇと、設定温度Ｔｓ１〜Ｔｓ３とをそれぞれ比較する（ステップＳ２１、Ｓ２３及びＳ２５）。その比較の結果、制御装置１２は、Ｔｇ＜Ｔｓ１と判定した場合、開度Ａを「１」に設定する（ステップＳ２２）。また、Ｔｓ１≦Ｔｇ＜Ｔｓ２と判定した場合、開度Ａを「２」に設定する（ステップＳ２４）。また、Ｔｓ２≦Ｔｇ＜Ｔｓ３と判定した場合、開度Ａを「３」に設定する（ステップＳ２６）。そして、Ｔｇ≧Ｔｓ３と判定した場合、開度Ａを「４」に設定する（ステップＳ２７）。以上のように、制御装置１２が、外気実測温度Ｔｇによってバッフル２９の開度Ａを「１」〜「４」のように多段階で設定することによって、より細かい温度制御が可能となる。
【００４９】
ここで、図７で示されるように、冷蔵室用ダンパー装置２６のバッフル２９の様々な開度状態について説明する。ここで、例えば、本実施の形態に係る冷凍冷蔵庫の容量を５００［Ｌ］クラスのものとし、冷蔵室１の容量が２７０［Ｌ］前後、そして、冷蔵室用ダンパー装置２６の冷気通過部３８の面積が２４［ｍｍ］×１２５［ｍｍ］＝３０００［ｍｍ2］であるものとする。まず、図７（ａ）は、バッフル２９が全閉の状態、すなわち、バッフル２９と冷気通過部３８の開口面との角度（以下、単に「バッフル２９の角度」という）が０度の状態を示したものである。また、図７（ｂ）は、冷気通過部３８の面積の１０〜１５［％］となるような、バッフル２９の角度が約７度の状態（３［ｍｍ］×１２５［ｍｍ］＝３７５［ｍｍ2］）を示したものである。また、図７（ｃ）は、冷気通過部３８の面積の２５〜３０［％］となるような、バッフル２９の角度が約１４度の状態（６．５［ｍｍ］×１２５［ｍｍ］＝８１２．５［ｍｍ2］）を示したものである。また、図７（ｄ）は、冷気通過部３８の面積の３７〜４３［％］となるような、バッフル２９の角度が約２１度の状態（９．９［ｍｍ］×１２５［ｍｍ］＝１２３７．５［ｍｍ2］）を示したものである。ここで、例えば、図６で示されるフローチャートの場合、開度Ａ＝１の場合、バッフル２９の角度を０度（図７（ａ））、開度Ａ＝２の場合、バッフル２９の角度を約７度（図７（ｂ））、開度Ａ＝３の場合、バッフル２９の角度を約１４度（図７（ｃ））、そして、開度Ａ＝４の場合、バッフル２９の角度を約２１度（図７（ｄ））のように設定すればよい。
【００５０】
また、バッフル２９の角度の上限値はあまり大きな角度に設定せず、例えば、約３０度以下とする。図７で示されるように、本実施の形態におけるバッフル２９は、フレーム３１のフランジ部の高さが２０［ｍｍ］であり、この約３０度以下の回動範囲であればバッフル２９とフレーム３１との間に大きなクリアランスＣができないが、図７（ｅ）で示されるようなバッフル２９の角度を約６０度のような大きな角度に設定すると、ほぼ冷気通過部３８の開口面積と同じ面積を開けてしまうことになり、全開状態（９０度）のときの冷気流量と変わらなくなるからである。
なお、上記のように、全開状態（９０度）と変わらない冷気流量が得られる開度を含めて「全開状態」というものとする。
【００５１】
（Ｓ９）
制御装置１２は、冷蔵室サーミスター５１によって検知された冷蔵室１の庫内温度である実測温度Ｒｒが第１冷蔵室設定温度Ｒｓより高いか否かを判定する。その判定の結果、実測温度Ｒｒが第１冷蔵室設定温度Ｒｓよりも高い場合、ステップＳ１０へ進む。一方、実測温度Ｒｒが第１冷蔵室設定温度Ｒｓ以下の場合、ステップＳ１０をスキップして、ステップＳ１１へ進む。
【００５２】
（Ｓ１０）
制御装置１２は、バッフル２９の開度Ａを全開状態にする。これは、冷蔵室１の庫内温度が高い状態となっているため、冷蔵室１の冷却を短時間で終了させるようにするためである。そして、ステップＳ１１へ進む。
【００５３】
（Ｓ１１）
制御装置１２は、実測温度Ｒｒが第２冷蔵室設定温度Ｒｅ（Ｒｅ＜Ｒｓ）より高いか否かを判定する。その判定の結果、実測温度Ｒｒが第２冷蔵室設定温度Ｒｅより高い場合、ステップＳ１２へ進む。一方、実測温度Ｒｒが第２冷蔵室設定温度Ｒｅ以下の場合、ステップＳ１３へ進む。
【００５４】
（Ｓ１２）
制御装置１２は、バッフル２９の開度をそのままにする。そして、ステップＳ１へ戻る。
【００５５】
（Ｓ１３）
制御装置１２は、バッフル２９の開度Ａを、ステップＳ７又はステップＳ８において設定した開度Ａとなるように調節する。そして、ステップＳ１へ戻る。
【００５６】
したがって、第１冷蔵室設定温度Ｒｓは冷蔵室１の庫内温度が高く、冷却を必要としていることから冷蔵室用ダンパー装置２６のバッフル２９の全開点を示す。また、第２冷蔵室設定温度Ｒｅは冷蔵室１の庫内温度が低く、従来であれば、バッフル２９の閉点を示すものであるが、本実施の形態においては、ステップＳ７又はステップＳ８で設定した開度を選択できるため「半開点」を示すものとする。
【００５７】
図８は、本発明の実施の形態１に係る冷凍冷蔵庫の圧縮機２５の動作、冷却器１８の温度変化、冷蔵室１及び冷凍室４の実測温度変化、並びに、バッフル２９の動作のタイムチャートである。また、図９は、従来の冷凍冷蔵庫の圧縮機２５の動作、冷却器１８の温度変化、冷蔵室１及び冷凍室４の実測温度変化、並びに、バッフル２９の動作のタイムチャートである。
【００５８】
（区間（１））
図８で示されるように、実測温度Ｆｒが第１冷凍室設定温度Ｆｓに達すると、制御装置１２によって圧縮機２５は運転を開始する。また、このとき、通常、実測温度Ｒｒも第１冷蔵室設定温度Ｒｓに達しているため、バッフル２９は全開状態となり、冷蔵室１の冷却が開始される。このとき、冷蔵室１から戻ってくる比較的温度の高い冷気が、冷却器１８が設置された冷却室に戻ってくるため、冷却器１８は冷媒によって冷却されるものの、その比較的高い温度の冷気によって、所定温度Ｅ１において横ばい状態となる。このように、冷却器１８の温度が所定温度Ｅ１の場合には、当然、冷凍室４へ吹き出される冷気の温度も高めとなるため、実測温度Ｆｒも同様に横ばい状態となる。
【００５９】
（区間（２））
次に、冷蔵室１が冷却され実測温度Ｒｒが低下してきて第２冷蔵室設定温度Ｒｅ、すなわち、バッフル２９の半開点に達すると、バッフル２９は図５におけるステップＳ７又はステップＳ８において設定した開度Ａに制御される。このとき、バッフル２９の開度Ａは大きなものではないため、冷凍室４の冷却については支障がなく、実測温度Ｆｒが第２冷凍室設定温度Ｆｅに達するまで、圧縮機２５の運転は継続し、冷凍室４の冷却も続けられる。このとき、実測温度Ｒｒは、図９で示される区間（２）と比較して、バッフル２９が開度Ａに制御されていることによって冷気が冷蔵室１に送られている効果で、温度が上昇しにくいものとなっている。
【００６０】
（区間（３））
そして、冷凍室４の実測温度Ｆｒが第２冷凍室設定温度Ｆｅに達すると、圧縮機２５の駆動は停止するので、冷蔵室１及び冷凍室４の庫内温度は上昇していく。このとき、バッフル２９は全閉状態であるため、冷蔵室１及び冷凍室４の庫内温度の温度勾配は、図８及び図９双方の区間（３）において同様である。ただし、図８の方が、区間（３）における実測温度Ｒｒの初期温度が低いため、冷却停止時間が経過した時点、すなわち、実測温度Ｆｒが第１冷凍室設定温度Ｆｓに達した時点では、図８の方が冷蔵室１の実測温度Ｒｒは低いものとなっている。
【００６１】
以上のことから、図８で示される本実施の形態に係る冷凍冷蔵庫の方が、図９で示される従来の冷凍冷蔵庫よりも、第１冷蔵室設定温度Ｒｓと第２冷蔵室設定温度Ｒｅとの温度差を小さく設定することができる。
【００６２】
（実施の形態１の効果）
以上の構成及び動作のように、冷蔵室１の庫内温度について、第１冷蔵室設定温度Ｒｓと第２冷蔵室設定温度Ｒｅとの温度差を小さく設定することができるので、実測温度Ｒｒを安定的に制御することができる。
【００６３】
また、上記のように設定温度差を小さくできることによって、冷蔵室１を冷却する期間である区間（１）を短縮し、圧縮機２５の運転時間も短縮することができるため、消費電力を低減することが可能となる。
【符号の説明】
【００６４】
１  冷蔵室、１ａ  冷蔵室扉、１ｂ〜１ｄ  棚、１ｅ  小物収納ケース、１ｆ  ポケット、２  製氷室、２ａ  製氷室扉、２ｂ  製氷室ケース、３  切替室、３ａ  切替室扉、３ｂ  切替室ケース、４  冷凍室、４ａ  冷凍室扉、４ｂ  下部大型貯蔵ケース、４ｃ  上部浅底ケース、５  野菜室、５ａ  野菜室扉、５ｂ  下部収納ケース、５ｃ  上部収納ケース、６  断熱仕切り壁、８  温度操作パネル、８ａ  冷蔵室温度調整ボタン、８ｂ  切替室温度調整ボタン、９  基板、１０  外気温度検知サーミスター、１１  上側ヒンジ装置部、１２  制御装置、１６  ファングリル、１７  内箱、１８  冷却器、１９  除霜ヒーター、２０  排水管、２１  蒸発皿、２４  送風ファン、２５  圧縮機、２６  冷蔵室用ダンパー装置、２７  切替室用ダンパー装置、２８  ギア収納ケース、２９  バッフル、３０  冷気漏れ防止シート、３１  フレーム、３２  リード線、３３  接続軸、３４  ステッピングモーター、３５  ギア部品、３６  ネジ、３７  円ボス、３８  冷気通過部、３９  外枠リブ、４２  戻り風路、４７  コントロールパネル、４８  樹脂部品、４９  発泡ダクト部品、５０  ダクト部、５１  冷蔵室サーミスター、５２  切替室サーミスター、５３  冷凍室サーミスター、５６  風路孔。
【図１】
0005631284.tif 000002
【図２】
0005631284.tif 000003
【図３】
0005631284.tif 000004
【図４】
0005631284.tif 000005
【図５】
0005631284.tif 000006
【図６】
0005631284.tif 000007
【図７】
0005631284.tif 000008
【図８】
0005631284.tif 000009
【図９】
0005631284.tif 000010